(57)【要約】      （修正有）【課題】リフィル容器の固定と脱着の両機能が確実かつスムーズに発揮される機構を提供する。【解決手段】蓋体を容器の本体に開閉自在に設け、本体の四角形の周壁内空間を仕切る仕切板３１の横方向へのスライドにより脱固定可能に本体内に固定保持されるプレス成形した金属製中皿状のリフィル容器２１を収納する化粧品用コンパクト容器において、本体の左右または前後に対向位置する一対の周壁の内面にそれぞれ横方向にガイド溝１３を形成すると共に、このガイド溝の底面に突片１５を形成し、仕切板の両端部を基端として、係止突片３３を突設した先端部を仕切板の端面３７から突出させて、一対の係止弾片３２を延出設し、両端面を一対の周壁内面に横方向へのスライド可能に摺接させて仕切板を本体に設置してリフィル容器を固定保持した状態で、係止弾片がガイド溝に横方向に係合案内されて係止突片が係止弾片の弾性変形による脱係止可能に突片に乗り越え係止する構成とする。【選択図】図５
2005160581.tif 000002
【特許請求の範囲】
【請求項１】
蓋体(3)を容器の本体(2)に開閉自在に設け、該本体(2)の四角形の周壁(8)内空間を仕切る仕切板(31)の横方向へのスライドにより脱固定可能に本体(2)内に固定保持されるプレス成形した金属製中皿状のリフィル容器(21)を収納する化粧品用コンパクト容器において、本体(2)の左右または前後に対向位置する一対の周壁(8)の内面位置にそれぞれ横方向にガイド溝(13)を形成すると共に、該ガイド溝(13)の底面に突片(15)を形成し、仕切板(31)の両端部を基端として、係止突片(33)を突設した先端部を前記仕切板(31)の端面(37)から突出させて、一対の係止弾片(32)を延出設し、前記両端面(37)を前記一対の周壁(8)の内面に横方向へのスライド可能に摺接させて前記仕切板(31)を本体(2)内に設置し、前記リフィル容器(21)を固定保持した状態で、前記係止弾片(32)がガイド溝(13)に横方向に係合案内され、前記係止突片(33)が係止弾片(32)の弾性変形による脱係止可能に、前記突片(15)に乗り越え係止する構成とした化粧品用コンパクト容器。
【請求項２】
一対の周壁(8)の上端から内鍔状に、仕切板(31)の端部上端面に係合する押え板片(1６)を付設した請求項１記載の化粧品用コンパクト容器。
【請求項３】
リフィル容器(21)を、円弧状に角取りされ、側壁(22)外周面に横方向に係止溝(24)を形成した４つの角部(23)を有する四角形状とし、本体(2)の周壁(8)の、前記リフィル容器(21)が保持される２つのコーナー部の形状を前記角部(23)に合せた形状にすると共に、該２つのコーナー部に係止条(10)を横方向に突設し、仕切板(31)の固定方向(F)側の側面の形状を、前記リフィル容器(21)の側壁(22)に沿った形状とし、前記角部(23)に接する両端部に係止条(35)を突設し、前記本体(2)および仕切板(31)の計４つの係止条(10、10、35、35)がそれぞれリフィル容器(21)の係止溝(24)に係合し、リフィル容器(21)を本体(2)内に固定保持する構成とした請求項１または２記載の化粧品用コンパクト容器。
【請求項４】
ガイド溝(13)の底面にさらに係止突片(33)が係合案内される凹溝(14)を形成すると共に該凹溝(14)の底面に突片(15)を突設し、また該凹溝(14)の段部(14a)への前記係止突片(33)の当接により仕切板(31)の脱固定方向(R)への移動限を形成する構成とした請求項１、２または３記載の化粧品用コンパクト容器。
【請求項５】
仕切板(31)の断面形状を、該仕切板(31)両端部において端面(37)に向けて拡幅する門形形状とし、該仕切板(31)の脱固定方向(R)側の側板(38)の内面を基端として端面(37)から突出して延出設される延出片(32a)を介して、端面(37)に沿って横方向に固定方向(F)に向けて、仕切板(31)内部への弾性変形可能に係止弾片(32)を配設した請求項１、２、３または４記載の化粧品用コンパクト容器。
【請求項６】
仕切板(31)の上端から脱固定方向(R)に鍔状に引掛け片(34)を付設した請求項１、２、３、４または５記載の化粧品用コンパクト容器。
【発明の詳細な説明】
【技術分野】
【０００１】
本発明は化粧料を収納した中皿状のリフィル容器を仕切板で固定し、かつ取り外し可能とした化粧用コンパクト容器に関する。
【背景技術】
【０００２】
従来、化粧品用コンパクトには、ファンデーションやアイシャドーなど複数の化粧品類をひとつのコンパクトに収容したものがあり、このようなコンパクトは一般に、それぞれの化粧料を中皿に充填し、その中皿をコンパクトの収納部分に取り付け、そして中皿の傍に化粧時に用いられるパフやブラシ類を配置するようにしている。
【０００３】
ところが中皿がコンパクトの収納部分に固定されていると、中皿内の化粧料がなくなった場合にその中皿のみを補充、交換することができず、その化粧料がないままコンパクトを使用したり、またコンパクト全体を新たに購入したりして、使い難さや化粧料の無駄が生じていた。
【０００４】
このような問題に関連して、たとえば特許文献１には、容器枠の左右または前後の対向する周壁内面に横方向の案内溝を設け、この案内溝に係合案内される摺動子を有する仕切板を容器内に摺動自在に設けて、この仕切板を移動させて中皿の交換を可能としたコンパクト容器についての記載がある。使用中の中皿の他にも交換用として化粧料を収納した中皿をリフィル容器として用意しておけば、便利にかつ経済的に使用することができる。また最初から複数のリフィル容器を用意しておき使用者が必要に応じて交換して使用することもできる。
【特許文献１】実公昭６２−１１５３１号公報
【発明の開示】
【発明が解決しようとする課題】
【０００５】
しかしながら上記特許文献１記載のコンパクト容器では、中皿状のリフィル容器の固定と仕切板の移動という機能を、仕切板の移動に係る摺動抵抗により併せて発揮せしめる必要があり、確実にリフィル容器を固定しようとすると移動がスムーズにできない、逆に仕切板を移動し易くするとリフィル容器の固定が確実でないという問題がある。
【０００６】
また、リフィル容器としてはその形状の精度、剛性、あるいは製造コストの点からプレス成形されたアルミ製等の金属製のものが使用されるが、仕切板の移動がスムーズでないと、リフィル容器の脱着に際して思わず指先に力が入り、リフィル容器のエッジ部で指先を切創してしまう恐れがあり、この点からもリフィル容器の固定と、脱着の両機能が確実にかつスムーズに発揮される機構の創出が要請されていた。
【０００７】
本発明は上記要請に応えるものであり、リフィル容器の固定と脱着の両機能が確実にかつスムーズに発揮される機構の創出を課題とし、もって便利にかつ経済的に使用できると共に、リフィル容器のエッジ部による切創を効果的に防止できる安全性の高い化粧料用コンパクト容器の提供を目的とする。
【課題を解決するための手段】
【０００８】
上記技術的課題を解決するための本発明の手段のうち、請求項１記載の手段は、
蓋体を容器の本体に開閉自在に設け、本体の四角形の周壁内空間を仕切る仕切板の横方向へのスライドにより脱固定可能に本体内に固定保持されるプレス成形した金属製中皿状のリフィル容器を収納する化粧品用コンパクト容器であること、
本体の左右または前後に対向位置する一対の周壁の内面にそれぞれ横方向にガイド溝を形成すると共に、このガイド溝の底面に突片を形成すること、
仕切板の両端部を基端として、係止突片を突設した先端部を仕切板の端面から突出させて、一対の係止弾片を延出設すること、
両端面を一対の周壁内面に横方向へのスライド可能に摺接させて仕切板を本体内に設置し、リフィル容器を固定保持した状態で、係止弾片がガイド溝に横方向に係合案内されて係止突片が係止弾片の弾性変形による脱係止可能に突片に乗り越え係止する構成とすること、
にある。
【０００９】
本体の対向する一対の周壁の内面に形成されたガイド溝に形成した突片への、仕切板両端部から延出設した係止弾片の先端部に突設した係止突片の乗り越え係止により、仕切板は脱固定方向（以下、仕切板がリフィル容器を押付け固定する方向を固定方向、逆方向を脱固定方向と記す。）にずれることなくプレス成形した金属製中皿状リフィル容器を確実に本体内に固定することができる。
【００１０】
リフィル容器を交換する際には、仕切板を指先で脱固定方向に移動させるが、係止弾片が弾性変形するのである程度の力を加えることにより、係止突片を容易に突片から脱係止させることができる。
【００１１】
また、両端面を対向する一対の周壁内面に横方向へのスライド可能に緩やかに摺接させて仕切板を本体に設置し、さらに係止弾片がガイド溝に係合案内された状態で脱固定方向に移動するので、この移動をスムーズに実施することができる。なお本発明において横方向とは本体の周壁の周方向に沿った方向、あるいはリフィル容器の側壁の周方向に沿った方向を示す。
【００１２】
ここで、本請求項の構成では仕切板の両端面と周壁内面との摺動抵抗によりリフィル容器を固定する必要はないので、仕切板のずれ、あるいはがたつきがない程度に仕切板の両端面を周壁内面に対向位置させれば十分であり、仕切板の両端面と周壁内面との摺動抵抗は略０に近い状態とすることも可能である。
【００１３】
そして、仕切板を脱固定方向に十分移動させて容器全体を裏返して、リフィル容器を落下させて取り外すことができ、仕切板をスムーズに移動できることと相俟って、リフィル容器の脱着に際して指先に力を入れる必要もなく、さらには指先をプレス成形した金属製中皿状リフィル容器のエッジ部に触れさせる要もないので、エッジによる切創の発生を効果的に防止することができる。
【００１４】
請求項２記載の発明の手段は、請求項１記載の発明において、一対の周壁の上端から内鍔状に、仕切板の端部上端面に係合する押え板片を付設すること、にある。
【００１５】
請求項２記載の上記構成により、仕切板の端部の動きが本体の周壁、底壁、そしてこの押え板片により規制され、上下方向のがたつきも確実に抑制された状態で仕切板のスライド状の移動をより安定して確実に達成することができる。
【００１６】
請求項３記載の発明の手段は、請求項１または２記載の発明において、
リフィル容器を、円弧状に角取りされ、側壁外周面に横方向に係止溝を形成した４つの角部を有する四角形状とすること、
本体の周壁の、リフィル容器が保持される２つのコーナー部の形状を角部に合せた形状にすると共に、この２つのコーナー部に係止条を横方向に突設すること、
仕切板の固定方向側の側面の形状を、リフィル容器の側壁に沿った形状とし、角部に接する両端部に係止条を突設すること、
本体および仕切板の計４つの係止条をそれぞれリフィル容器の係止溝に係合させてリフィル容器を本体内に固定保持する構成とすること、
にある。
【００１７】
請求項３記載の上記構成により、角取りした四角形状の側面の全周に本体の周壁内面および仕切板の側面がぴったりと接し、４つの係止溝に係止条が係止した状態で上下方向へのがたつきもなく、リフィル容器がしっかりと本体内に固定保持される。
【００１８】
請求項４記載の発明の手段は、請求項１、２または３記載の発明において、ガイド溝の底面にさらに係止突片が係合案内される凹溝を形成すると共に、この凹溝の底面に突片を突設し、また凹溝の段部への係止突片の当接により仕切板の脱固定方向への移動限を形成する構成とすること、にある。
【００１９】
仕切板を大きく移動させると、それだけ仕切板が周壁方向に対して斜めに傾き易くなるが、請求項４記載の上記構成により、仕切板の脱固定方向への移動距離をリフィル容器を脱着するのに必要最低限な範囲として、摺動の障害となる上記仕切板の傾きを最小限に抑えることができる。
【００２０】
請求５記載の発明の手段は、請求項１、２、３または４記載の発明において、
仕切板の断面形状を、両端部において端面に向けて拡幅する門形形状とすること、
この仕切板の脱固定方向側の側板の内面を基端として端面から突出して延出設される延出片を介して、端面に沿って横方向に、固定方向に向けて、仕切板内部への弾性変形可能に係止弾片を配設すること、
にある。
【００２１】
請求項５記載の上記構成は、係止弾片を延出設する具体的な構成の一例である。この構成により係止弾片を端面に沿って横方向、固定方向に向けて配設することにより、この係止弾片が、全長さ範囲に亘ってガイド溝に横方向に係合案内され、本体の周壁内面に横方向に形成されたガイド溝に傾くことなく平行に移動するので、仕切板の固定方向、脱固定方向へのスライド状の移動をよりスムーズに達成することができる。また係止突片の突片への乗り越え係止、およびその脱係止動作を安定して達成することができる。
【００２２】
請求６載の発明の手段は、請求項１、２、３、４または５記載の発明において、仕切板の上端から脱固定方向に鍔状に引掛け片を付設すること、にある。
【００２３】
請求項６記載の上記構成により、この引っ掛け片に指先を引っ掛けて、仕切板の脱固定方向側への移動を容易に実施することができ、指先のリフィル容器のエッジへの接触をより確実に防止することができる。
【発明の効果】
【００２４】
請求項１にあっては、係止突片の突片への乗り越え係止により仕切板がリフィル容器を確実に本体内に固定すると共に、係止弾片の弾性変形により係止突片を容易に突片から脱係止させてリフィル容器の固定状態を容易に解消でき、さらに仕切板の両端面と周壁内面との摺動抵抗を略０に近い状態とすることもでき、リフィル容器の固定と脱着の両機能を確実にかつスムーズに発揮せしめることができる。
【００２５】
また容器全体を裏返してリフィル容器を落下させて取り外すことができ、仕切板をスムーズに移動できることと相俟って、リフィル容器の脱着に際して指先に力を入れる必要もなく、さらには指先をプレス成形した金属製中皿状リフィル容器のエッジ部に触れさせる要もないので、エッジによる切創の発生を効果的に防止することができる。
【００２６】
請求項２にあっては、仕切板の端部の動きが本体の周壁、底壁、そして押え板により規制され、上下方向のがたつきも確実に抑制され、仕切板の移動をよりスムーズに安定して確実に達成することができる。
【００２７】
請求項３にあっては、角取りした四角形状の側面の全周に本体の周壁内面および仕切板の側面がぴったりと接し、係止溝に係止条が係止した状態で上下方向へのがたつきもなく、リフィル容器をしっかりと本体内に固定保持することができる。
【００２８】
請求項４にあっては、仕切板の脱固定方向への移動距離をリフィル容器を脱着するのに必要最低限な範囲とし、摺動の障害となる仕切板の傾きを最小限に抑えることができる。
【００２９】
請求項５にあっては、係止弾片が本体の周壁内面に横方向に形成されたガイド溝に傾くことなく平行に移動するので、仕切板のスライド状の移動をよりスムーズに達成することができる。また係止突片の突片に係る係止、脱係止動作を安定して達成することができる。
【００３０】
請求項６にあっては、引っ掛け片に指先を引っ掛けて、仕切板を脱固定方向側へ容易に移動させることができ、指先のリフィル容器のエッジへの接触をより確実に防止することができる。
【発明を実施するための最良の形態】
【００３１】
以下本発明の実施の形態を図面を参照しながら説明する。
図１〜図７は本発明の化粧料用コンパクト容器の一実施例を示すものである。図１に示されるように本コンパクト容器１は主として本体２、内側に鏡４が貼り付けられ蓋体３、リフィル容器２１、および仕切板３１の４つの部材より構成される。なお本発明は本実施例により限定されるものではない。
【００３２】
蓋体３と本体２は合成樹脂製で、ヒンジ部５により開閉自在に連結され、本体２の開閉端側に設けられたロック片１７に、蓋体３に形成され係合爪１８が乗り越え係止して蓋体３を閉じた状態に保持できる。なお本実施例では本体の開閉端側に別部材としてフック体１９を回動可能に取り付け、このフック体１９を押して回動させて上記係止状態を脱係止させることができる（図６参照）。
【００３３】
リフィル容器２１は、プレス成形されたアルミニウム製で、ファンデーション用等の化粧品が充填されたものであり、コンパクト容器に交換可能に複数個付属させて販売される場合もあり、詰め替え用として単独販売される場合もある。平面形状は角部２３を円弧状に角取りした四角形状であり、角部２３の側壁２２には係止溝２４が形成されている。
【００３４】
本体２は周壁８により、コーナー部を上記リフィル容器２１の角部２３の形状に合せた円弧状とした長方形状の収納空間が形成されており、リフィル容器２１が固定される２つのコーナー部にはリフィル容器２１の係止溝２４に係合する係止条１０が突設されている。収納空間は仕切板３１によりリフィル容器２１が収納される第１収納室１１と、パフ等の別部材が収納される第２収納室１２に区分けされる。
【００３５】
本体２の相対向する前後の周壁８内面の略中央部には横方向にガイド溝１３が形成されており、さらにこのガイド溝１３の底面には横方向に凹溝１４が形成され、この凹溝１４の底面に突片１５が形成されている。またガイド溝１３が形成されている位置近傍において周壁８の上端から内鍔状に、後述する仕切板３１の端部上端面に係合する押え板片１６が付設されている（図４、図５参照）。
【００３６】
仕切板３１は左右対称の形状であり、その基本部分は門形の縦断面形状を有しているが、端部においてはリフィル容器２１の円弧状の角部２３に合せて拡幅した形状としている。また側壁３８の固定方向Ｆ側の側壁３８の端部近傍にはリフィル容器２１の係止溝２４に係止する係止条３５が突設されている。また上端から脱固定方向Ｒに鍔状に引掛け片３４を付設されている。また上面端部には本体２の押え板片１６が係合するスライド段部３６が形成されている。（図２参照）
なお、本実施例では引掛け片３４を仕切板３１の全長さ範囲に亘り付設しているが、たとえば、両端部が揃って移動するように中央部にのみ付設することもできる。
【００３７】
また脱固定方向Ｒ側の側板３８内面の端面３７近傍位置を基端として、端面３７から突出させて延出片３２ａが延出設され、この延出片３２ａを介して端面３７に沿って横方向に、固定方向Ｆに向けて、係止弾片３２が突設されている。ここでこの係止弾片３２の横方向の長さをその先端が固定方向Ｆ側の側板３８に届かない範囲として、係止弾片３２が仕切板３１の門形の断面の内部へ弾性変形できるようにしている。また先端部には、本体２の凹溝１４に突設された突片１５に乗り越え係止する係止突片３３が突設されている。
【００３８】
図３は本体２に仕切板３１を組み付けて、さらに第１収納室にリフィル容器２１を収納した状態を示す平面図であるが、この仕切板３１の機能を分かり易くするために、仕切板３１の下半分はリフィル容器２１を固定保持した状態、上半分は脱固定方向Ｒにスライド状に移動してリフィル容器２１を取り外し可能な位置にした状態を示す。仕切板３１を上半分の位置にすれば係止溝２４への仕切板３１の係止条３５の係止が解消し、さらには本体２の係止条１０の係止が解消可能となり、この状態で容器全体を裏返えしてリフィル容器２１を落下させて取り外すことができる。
【００３９】
図５は本体２に仕切板３１を組み付けてリフィル容器２１を固定保持した状態での詳細を示すものであり、図６は図５中のＡ−Ａ線に沿った縦断面図である。
図５および図６から判るように、仕切板３１を本体２に組みつけた状態で押え板片１６が仕切板３１のスライド段部３６に係止するようにしており、仕切板３１の端部の動きを本体２の周壁８、底壁２０、そしてこの押え板片１６により規制して、上下方向のがたつきを確実に抑制した状態で、仕切板３１のスライド状の移動が安定して確実に達成されるようにしている。
【００４０】
また、係止弾片３２は周壁８の内面に横方向に形成されたガイド溝１３に平行に、そしてその大部分をこのガイド溝１３に係合した状態で位置しており、仕切板３１のスライド状の移動に応じてこのガイド溝１３に係合案内されて傾斜することなく安定した姿勢で移動する。
【００４１】
また、凹溝１４内では係止突片３３が突片１５に乗り越え係止した状態であり、この係止によりリフィル容器２１の第１収納室への固定を確実に維持できる。
【００４２】
図７は、仕切板３１をスライド状に脱固定方向Ｒに移動させた状態での詳細を図５と同様に示すものである。指先を引掛け片３４に引っ掛けて脱固定方向Ｒに移動させるが、この際係止弾片３２が弾性変形するので係止突片３３の突片１５からの脱係止を容易に達成することができる。
【００４３】
また、係止突片３３と凹溝１４の脱固定方向Ｒ側の段部１４ａにより、仕切板３１の脱固定方向Ｒへの移動の限界を設定することができる。この脱固定方向Ｒへの移動の限界は、仕切板３１の移動のスムーズさ、リフィル容器２１の落下のし易さ、そして第２収納室１２に収納されている部材、その大きさ等を顧慮して適宜設定することができる。
【００４４】
なお本実施例では全体が横長となった横型のコンパクト容器を示したが、本発明はこれに特定されるものではなく、縦長となった縦型のコンパクト容器に適用できるのは云うまでもない。
【産業上の利用可能性】
【００４５】
本発明の容器は、リフィル容器の固定と脱着の両機能を確実にかつスムーズに発揮せしめることができるものであり、便利にかつ経済的に使用できると共にリフィル容器のエッジ部による切創を効果的に防止する安全性の高いものであり、リフィル容器を利用した化粧料コンパクト容器としてさらなる利用の拡大が期待される。
【図面の簡単な説明】
【００４６】
【図１】本発明のコンパクト容器の一実施例をリフィル容器を外した状態で示した斜視図である。
【図２】図１のコンパクト容器の仕切板を示した斜視図である。
【図３】図１のコンパクト容器を蓋体を外した状態で示した平面図である。
【図４】図１のコンパクト容器のガイド溝近傍を要部拡大して示す斜視図である。
【図５】図３においてリフィル容器の固定状態を示す要部拡大平面図である。
【図６】図５のＡ−Ａ線に沿って示す要部拡大縦断面図である。
【図７】図３においてリフィル容器の脱固定状態を示す要部拡大平面図である。
【符号の説明】
【００４７】
１  ；コンパクト容器
２  ；本体
３  ；蓋体
４  ；鏡
５  ；ヒンジ部
８  ；周壁
１０；係止条
１１；第１収納室
１２；第２収納室
１３；ガイド溝
１４；凹溝
１４ａ；段部
１５；突片
１６；押え板片
１７；ロック片
１８；係合爪
１９；フック体
２０；底壁
２１；リフィル容器
２２；側壁
２３；角部
２４；係止溝
３１；仕切板
３２；係止弾片
３２ａ；延出片
３３；係止突片
３４；引掛け片
３５；係止条
３６；スライド段部
３７；端面
３８；側板
Ｆ  ；固定方向
Ｒ  ；脱固定方向
【図１】
2005160581.tif 000003
【図２】
2005160581.tif 000004
【図３】
2005160581.tif 000005
【図４】
2005160581.tif 000006
【図５】
2005160581.tif 000007
【図６】
2005160581.tif 000008
【図７】
2005160581.tif 000009